(57)【要約】ハンドヘルドの携帯型通信端末は、タッチスクリーンまたはデジタルペンのようなフリーハンド入力デバイス、および複数のメッセージングアプリケーションを含む。１つのメッセージングアプリケーションによって、ユーザーは、フリーハンド入力デバイスを使用して図形を入力することができ、また図形を表す図形データを標準または一般に使用されるフォーマットで生成することができる。第一のメッセージングアプリケーションによって選択された第二のメッセージングアプリケーションは、標準または一般に使用されるフォーマットのメッセージ（例、SMS、MMS、IM、Eメール）で送信する。これにより、標準または共通のメッセージングアプリケーションを備えた受信側端末によって、図形を再生することができる。第一のメッセージングアプリケーションは、メッセージングアプリケーションを開くと、それに応答して、フリーハンド入力デバイスを使用した図形の即時エントリを提供する。これは、コンテンツ入力の完了を示す入力に応答して、受信者アドレスを入力または選択できるようにする手段を提供する。また、メッセージは、受信者アドレスのエントリまたは選択に応答して、単一のユーザー入力によって送信することができる。【選択図】図４
2008546069.tif 000002
【特許請求の範囲】
【請求項１】
フリーハンド入力デバイスと、少なくとも１つのメッセージングアプリケーションとを備えたハンドヘルドの携帯型通信端末であって、
前記メッセージングアプリケーションは、ユーザーが前記フリーハンド入力デバイスを使用して図形を入力できるようにし、
前記図形を表す図形データを標準または一般に使用されるフォーマットで生成し、
前記図形データを組み込んだメッセージを標準または一般に使用されるフォーマットで送信するよう機能し、
これにより、標準または共通のメッセージングアプリケーションを備えた受信側端末によって、前記図形を再生することができる、端末。
【請求項２】
前記フリーハンド入力デバイスは、タッチスクリーンを含む、請求項１に記載の端末。
【請求項３】
前記フリーハンド入力デバイスは、前記端末に接続された外部入力デバイスを含む、請求項１に記載の端末。
【請求項４】
前記端末は、第一および第二のメッセージングアプリケーションを含み、前記第一のメッセージングアプリケーションは、ユーザーが前記図形を入力できるようにするよう機能し、前記第二のメッセージングアプリケーションは、前記メッセージを送信するように機能する、上述の請求項のいずれかに記載の端末。
【請求項５】
前記第一のメッセージングアプリケーションは、前記端末に含まれる複数のメッセージングアプリケーションから前記第二のメッセージングアプリケーションを選択するように機能する、請求項４に記載の端末。
【請求項６】
前記第一のメッセージングアプリケーションは、前記メッセージがアドレス指定される受信者アドレスのアドレスタイプに少なくとも部分的に基づいて、前記第二のメッセージングアプリケーションを選択するように機能する、請求項５に記載の端末。
【請求項７】
前記第一のメッセージングアプリケーションは、前記メッセージのコンテンツに少なくとも部分的に基づいて、前記第二のメッセージングアプリケーションを選択するように機能する、請求項５または請求項６に記載の端末。
【請求項８】
前記第一のメッセージングアプリケーションは、前記メッセージの予想される送信コストに少なくとも部分的に基づいて、前記第二のメッセージングアプリケーションを選択するように機能する、請求項５乃至７のうちのいずれかに記載の端末。
【請求項９】
前記第一のメッセージングアプリケーションは、前記端末が利用可能な無線ネットワークの少なくとも一部に基づいて、前記第二のメッセージングアプリケーションを選択するように機能する、請求項５乃至８のうちのいずれかに記載の端末。
【請求項１０】
前記第一のメッセージングアプリケーションは、少なくとも１つの既存のユーザープレファレンスに少なくとも基づいて、前記第二のメッセージングアプリケーションを選択するように機能する、請求項５乃至９のうちのいずれかに記載の端末。
【請求項１１】
前記第一のメッセージングアプリケーションによって選択された前記第二のメッセージングアプリケーションは、選択可能なデフォルトの送信オプションとしてユーザーに提供される、請求項５乃至１０のうちのいずれかに記載の端末。
【請求項１２】
前記第二のメッセージングアプリケーションは、
a） SMSアプリケーション、
b） MMSアプリケーション、
c） インスタントメッセージアプリケーション、および
d） Eメールアプリケーション、のグループから選択される、請求項４乃至１０のうちのいずれかに記載の端末。
【請求項１３】
フリーハンド入力デバイスと、少なくとも１つのメッセージングアプリケーションとを備えたハンドヘルドの携帯型通信端末を操作する方法であって、
ユーザーが、前記フリーハンド入力デバイスを使用して図形を入力できるようにすることと、
前記図形を表す図形データを標準または一般に使用されるフォーマットで生成することと、
前記図形データを組み込んだメッセージを標準または一般に使用されるフォーマットで送信することと、を含み、
それによって、前記図形は、標準または共通のメッセージングアプリケーションを備えた受信側端末によって再生することができる、方法。
【請求項１４】
前記端末は、第一および第二のメッセージングアプリケーションを含み、前記第一のメッセージングアプリケーションは、ユーザーが、前記図形を入力できるように機能し、前記第二のメッセージングアプリケーションは、前記メッセージを送信するように機能する、請求項１３に記載の方法。
【請求項１５】
前記第一のメッセージングアプリケーションは、前記端末に含まれる複数のメッセージングアプリケーションから前記第二のメッセージングアプリケーションを選択することを含む、請求項１４に記載の方法。
【請求項１６】
前記第一のメッセージングアプリケーションは、前記メッセージがアドレス指定される受信者アドレスのアドレスタイプに少なくとも部分的に基づいて、前記第二のメッセージングアプリケーションを選択することを含む、請求項１５に記載の方法。
【請求項１７】
前記第一のメッセージングアプリケーションは、前記メッセージのコンテンツに少なくとも部分的に基づいて、前記第二のメッセージングアプリケーションを選択することを含む、請求項１５または請求項１６に記載の方法。
【請求項１８】
前記第一のメッセージングアプリケーションは、前記メッセージの予想される送信コストに少なくとも部分的に基づいて、前記第二のメッセージングアプリケーションを選択することを含む、請求項１５乃至１７のうちのいずれかに記載の方法。
【請求項１９】
前記第一のメッセージングアプリケーションは、前記端末が利用可能な無線ネットワークの少なくとも一部に基づいて、前記第二のメッセージングアプリケーションを選択することを含む、請求項１５乃至１８のうちのいずれかに記載の方法。
【請求項２０】
前記第一のメッセージングアプリケーションは、少なくとも１つの既存のユーザープレファレンスに少なくとも基づいて、前記第二のメッセージングアプリケーションを選択することを含む、請求項１５乃至１９のうちのいずれかに記載の方法。
【請求項２１】
前記第一のメッセージングアプリケーションによって選択された前記第二のメッセージングアプリケーションは、選択可能なデフォルトの送信オプションとしてユーザーに提供される、請求項１５乃至２０のうちのいずれかに記載の方法。
【請求項２２】
前記第二のメッセージングアプリケーションは、
a） SMSアプリケーション、
b） MMSアプリケーション、
c） インスタントメッセージアプリケーション、および
d） Eメールアプリケーション、のグループから選択される、請求項１５乃至２１のうちのいずれかに記載の方法。
【請求項２３】
コンピュータ装置による実行時に、請求項１３乃至２２のうちのいずれかに記載の方法を実行するように前記装置を制御する、機械可読の命令。
【請求項２４】
請求項２３による機械可読の命令を格納した、コンピュータ可読のメディア。
【請求項２５】
ユーザーが、メッセージングアプリケーションを介して送信する図形を入力することができるように機能するモバイル端末であって、前記メッセージングアプリケーションが、
前記メッセージングアプリケーションが開かれることに応答して、フリーハンド入力デバイスを使用した図形の直接入力の準備を行い、
コンテンツ入力の完了を示す入力に応答して、受信者アドレスを入力または選択できるようにする手段を提供し、
前記、受信者アドレスの入力または選択に応答して、前記メッセージを単一のユーザー入力によって送信できるようにする、端末。
【請求項２６】
前記端末は、ユーザー入力に応答して動的メニューを表示するように構成される、請求項２５に記載の端末。
【請求項２７】
前記動的メニューは、ユーザーが直前に完了したアクションに即時に従う所定のシーケンスにおけるアクションに関連するオプションを、デフォルトオプションとして含む、請求項２６に記載の端末。
【請求項２８】
前記フリーハンド入力デバイスは、タッチスクリーンを含む、請求項２５乃至２７のうちのいずれかに記載の端末。
【請求項２９】
前記フリーハンド入力デバイスは、前記端末に接続された外部入力デバイスを含む、請求項２５乃至２７のうちのいずれかに記載の端末。
【請求項３０】
ユーザーが、モバイル端末の一部を形成するメッセージングアプリケーションを介して送信する図形を入力できるように、前記モバイル端末を操作する方法であって、
前記メッセージングアプリケーションが開かれることに応答して、フリーハンド入力デバイスを使用した図形の直接入力の準備をすることと、
コンテンツ入力の完了を示す入力に応答して、受信者アドレスを入力または選択できるようにする手段を提供することと、
前記、受信者アドレスの入力または選択に応答して、前記メッセージを単一のユーザー入力によって送信できるようにすることと、を含む方法。
【請求項３１】
ユーザー入力に応答して動的メニューを表示することを含む、請求項３０に記載の方法。
【請求項３２】
前記動的メニューに、ユーザーが直前に完了したアクションに即時に従う所定のシーケンスにおけるアクションに関連するオプションを、デフォルトオプションとして含むことを含む、請求項３１に記載の方法。
【請求項３３】
コンピュータ装置による実行時に、請求項３０乃至３２のうちのいずれかに記載の方法を実行するように前記装置を制御する、機械可読の命令。
【請求項３４】
請求項３３による機械可読の命令を格納した、コンピュータ可読のメディア。
【発明の詳細な説明】
【技術分野】
【０００１】
本発明は、フリーハンド入力デバイスおよび少なくとも１つのメッセージングアプリケーションを備えた、ハンドヘルドの携帯型通信端末に関する。本発明はまた、フリーハンド入力デバイスと、少なくとも１つのメッセージングアプリケーションとを備えたハンドヘルドの携帯型通信端末を操作する方法に関する。さらに、本発明は、ユーザーが、メッセージングアプリケーションを介して送信する図形を入力できるように機能するモバイル端末、および、ユーザーが、端末の一部を形成するメッセージングアプリケーションを介して送信する図形を入力できるように操作可能なモバイル端末を操作する方法に関する。
【発明の背景】
【０００２】
現在、移動電話またはセルラー電話、および携帯情報端末（Personal Digital Assistant: PDA）のようなハンドヘルドの電子デバイスは、スタイラスを使用して入力することができるタッチスクリーンを備えていることが比較的多い。Nokia 7710TMは、その一例である。スタイラスは、通常、メニューナビゲーションおよび全般的な選択に使用されるが、デバイス上の手書き文字認識アプリケーションを介した文字の入力にも使用することができる。Nokia 7710TMでは、スタイラスを画像の描画に使用することもできる。モバイルデバイスにスタイラス入力を含むことによって可能となる完全なポテンシャルは、これまでのところ実現されていなかった。類似した効果のある入力デバイスには、Nokia SU-IB Digital PenTMがある。
【０００３】
手書きで描画したSMSメッセージをデバイスからペン入力によって送信することができるシステムを開示している。手書き文字認識は、中間的なスマートカードを使用するか、またはサーバーにおいて行われる。OCRを使用することが可能である。手書きの図形を送信することができる。しかし、メッセージコンテンツのネットワーク側での分析および/または処理が必要であり、メッセージを送信できるまでに多数のユーザー入力が必要な仕組みであり、受信者デバイスは、手書き描画を含む受信メッセージをユーザーに示すために中間的なスマートカードが必要であり、また、当該のメッセージを送信するには、中間的なスマートカードの形態の特別なハードウェアが必要である、という点において、前記記載されたシステムには制限がある。
【特許文献１】US2002/0159600
【発明の概要】
【０００４】
本発明の第一の側面によれば、フリーハンド入力デバイスと、少なくとも１つのメッセージングアプリケーションとを備えたハンドヘルドの携帯型通信端末であって、
前記メッセージングアプリケーションは、ユーザーが、前記フリーハンド入力デバイスを使用して図形を入力し、前記図形を表す図形データを標準または一般に使用されるフォーマットで生成し、前記図形データを組み込んだメッセージを標準または一般に使用されるフォーマットで送信できるように機能し、これにより、標準または共通のメッセージングアプリケーションを備えた受信側端末によって、前記図形を再生することができる、端末が提供される。
【０００５】
用語"標準または一般に使用されるフォーマット"とは、プロトコルをサポートするメッセージングアプリケーションによってサポートされるメッセージングプロトコルを定義する、認められた標準によって定義される各フォーマット、および特には標準化されていない一般に使用されるフォーマット、という範囲内に包含されるものであると理解されよう。したがって、端末によって送信される前記メッセージは、標準化されていれば、そのメッセージングプロトコルを定義する認められた標準に基づいて構成されたあらゆるメッセージングアプリケーションによって、または一般に使用されるプロトコルによって、適切に再生することができるようになり、それによって、受信者の端末に特別なソフトウェアまたはハードウェアを組み込む必要が無くなる。これは、前記メッセージが送信されるネットワークに接続されたサーバーによって、前記メッセージの変更を行わずに生じさせることができる。標準または一般に使用されるフォーマットは、SMS標準に基づいたビットマップとして表される図形については、例えばSMSフォーマットとすることが可能である。代替的に、標準または一般に使用されるフォーマットは、例えば標準の市販のEメールアプリケーションによって扱うことができるものとすることが可能である。
【０００６】
フリーハンド入力デバイスは、例えば、タッチスクリーン、または前記端末に接続されたデジタルペンのような外部入力デバイスを含む。
【０００７】
前記端末は、第一および第二のメッセージングアプリケーションを含み、前記第一のメッセージングアプリケーションは、ユーザーが、前記図形を入力できるように機能し、前記第二のメッセージングアプリケーションは、前記メッセージを送信するように機能することが好ましい。この場合、前記第二のメッセージングアプリケーションは、通常、端末に常駐するものであってよいので、本発明は、単に前記第一のメッセージングアプリケーションを前記端末に含むことによって実行することが可能である。
【０００８】
前記第一のメッセージングアプリケーションは、前記端末に含まれる複数のメッセージングアプリケーションから前記第二のメッセージングアプリケーションを選択するように機能することが可能である。この場合、前記第一のメッセージングアプリケーションは、前記メッセージがアドレス指定される受信者アドレスのアドレスタイプ、前記メッセージのコンテンツ、前記メッセージの予想される送信コスト、前記端末が利用可能な無線ネットワーク、および/または少なくとも１つの既存のユーザープレファレンスに少なくとも部分的に基づいて、前記第二のメッセージングアプリケーションを選択するように機能することが可能である。どのように前記第二のメッセージングアプリケーションが選択されたかに関わらず、選択可能なデフォルトの送信オプションとしてユーザーに提供することが可能である。
【０００９】
前記第二のメッセージングアプリケーションは、他のメッセージングアプリケーションが好適であるが、SMSアプリケーション、MMSアプリケーション、インスタントメッセージアプリケーション、およびEメールアプリケーションのグループから選択することが可能である。
【００１０】
本発明の第二の側面によれば、フリーハンド入力デバイスと、少なくとも１つのメッセージングアプリケーションとを備えたハンドヘルドの携帯型通信端末を操作する方法であって、ユーザーが、前記フリーハンド入力デバイスを使用して図形を入力できるようにすることと、前記図形を表す図形データを標準または一般に使用されるフォーマットで生成することと、前記図形データを組み込んだメッセージを標準または一般に使用されるフォーマットで送信することと、を含み、これにより、標準または共通のメッセージングアプリケーションを備えた受信側端末によって、前記図形を再生することができる、方法が提供される。
【００１１】
本発明はまた、コンピュータ装置による実行時に、本方法を実行するように前記装置を制御する機械可読の命令、およびコンピュータ装置による実行時に、本方法を実行するように前記装置を制御する、機械可読の命令を格納したコンピュータ可読のメディアを提供する。
【００１２】
本発明の第三の側面によれば、ユーザーが、メッセージングアプリケーションを介して送信する図形を入力することができるように機能するモバイル端末であって、前記メッセージングアプリケーションが、前記メッセージングアプリケーションが開かれることに応答して、フリーハンド入力デバイスを使用した図形の直接入力の準備を行い、コンテンツ入力の完了を示す入力に応答して、受信者アドレスを入力または選択できるようにする手段を提供し、前記、受信者アドレスの入力または選択に応答して、前記メッセージを単一のユーザー入力によって送信できるようにする、端末が提供される。
【００１３】
図形の入力に対する処理は、図形が入力できるようになるまでに、更なるユーザー入力が不要であるという点において、即時である。本端末は、（図形の入力に加えて）わずか4つのユーザー入力によって、すなわち、第一に前記アプリケーションを開き、第二に図形エントリの完了を示し、第三に受信者を選択し、第四に前記メッセージの送信を選択することによって、図形を含むメッセージを送信することができるので好都合である。これは、ユーザーが最小限の労力で描画を送信できることに対して、また前記端末の入力トランスデューサの使用を少なくすることに対して好都合であり、したがって、あまり便利ではないメッセージングアプリケーションの対応する用途に比較して、消耗が減じられ、信頼性および寿命が向上する。
【００１４】
前記端末は、ユーザー入力に応答して動的メニューを表示するように構成することが可能である。動的メニューの使用によって、ユーザーは、少ないユーザー入力で前記メッセージの作成および送信に必要なことを進行することができるので、特に好都合である。
前記動的メニューは、ユーザーが直前に完了したアクションに即時に従う所定のシーケンスにおけるアクションに関連するオプションを、デフォルトオプションとして含むことが可能である。これによって、ユーザーは、最小限のユーザー入力で前記メッセージの作成および送信に必要なことを進行することができるので、特に好都合である。
【００１５】
本発明の第四の側面によれば、ユーザーが、モバイル端末の一部を形成するメッセージングアプリケーションを介して送信する図形を入力できるように、前記モバイル端末を操作する方法であって、前記メッセージングアプリケーションが開かれることに応答して、フリーハンド入力デバイスを使用した図形の直接入力の準備をすることと、コンテンツ入力の完了を示す入力に応答して、受信者アドレスを入力または選択できるようにする手段を提供することと、前記、受信者アドレスの入力または選択に応答して、前記メッセージを単一のユーザー入力によって送信できるようにすることと、を含む方法が提供される。
【００１６】
本発明はまた、コンピュータ装置による実行時に、本方法を実行するように前記装置を制御する機械可読の命令、および、コンピュータ装置による実行時に、本方法を実行するように前記装置を制御する機械可読の命令を提供する。
【００１７】
以下、添付図面を参照して本発明の実施態様について一例として説明する。
【好適な実施形態の詳細な説明】
【００１８】
図１を参照する。図１にモバイル端末10を示す。携帯電話は、筐体11と、キーパッド12と、タッチスクリーン13とを含む。キーパッド12は、英数字キーのグループ14と、中央の選択部15を備えた4方向キーと、ファンクションキー16と、左右のソフトキー17および18とを含む。携帯電話10はまた、ユーザーが、タッチスクリーン13を介して情報を携帯電話10に入力することができるスタイラス19を備える。
【００１９】
図２は、代替的なモバイルデバイス20を示す。本図において、モバイル端末20は、回転ユーザーインターフェースを含む小型GSM（Global System for Mobile Communications: 移動体通信用グローバルシステム）携帯電話である。前記携帯電話は、例えば、Nokia 7280TMとすることが可能である。携帯電話20は、デジタルペン21に無線で接続される。これは、例えば、製造番号SU-1Bで製造および販売されるデジタルペンとすることが可能である。これによって、ユーザーは、その電話がタッチスクリーンや他のタッチパッドを備えていなくても、携帯電話20への図形の入力を行うことができる。
【００２０】
図３は、図１の携帯電話10および図２の携帯電話20のハードウェアおよびソフトウェアコンポーネントを示す図である。図３には、自由入力アプリケーションの操作に直接関係するコンポーネントだけを示す。他のコンポーネントも存在するが、明確にするために図では省略されていると理解されよう。
【００２１】
図１の携帯電話10および図２の携帯電話20のうちのいずれかである携帯電話30の主なコンポーネントは、送受信回路31、アンテナ32、中央処理ユニット（CPU）33、リードオンリーメモリ（ROM）34、およびランダムアクセスメモリ（RAM）35である。他のハードウェアコンポーネントには、加入者識別モジュール（Subscriber Identity Module: SIM）カード36、ディスプレイ37、およびリムーバブルメモリカードまたはMMC（Multi Media Card: マルチメディアカード）38が挙げられる。携帯電話10の場合、図３のディスプレイ37は、図１のタッチスクリーン13となる。携帯電話13はまた、マイクロホン39と、スピーカ40とを含み、これらは、電話の他のコンポーネントであるデジタル信号処理（Digital Signal Processing）ユニット41に接続される。
【００２２】
携帯電話30はまた、フリーハンド書き込み用入力42を含む。図１の携帯電話10の場合、これはタッチスクリーン13となる。図２の携帯電話の場合、これはデジタルペン21となる。
【００２３】
携帯電話30はまた、複数のソフトウェアアプリケーション、すなわち、自由入力アプリケーション45、オペレーティングシステム46（例、SymbianTMオペレーティングシステム）を含む。携帯電話30はまた、複数のメッセージングアプリケーション、すなわち、Eメールアプリケーション47、インスタントメッセージング（IM）アプリケーション48、ショートメッセージサービス（SMS）アプリケーション49、およびマルチメディアサービス（MMS）アプリケーション50を含む。携帯電話30はまた、メディアギャラリーアプリケーション51、カメラ52、および音声レコーダ53を含む。自由入力アプリケーション45は、メッセージのエントリおよび送信を伴うので、メッセージングアプリケーションである。自由入力アプリケーション45を除いて、携帯電話13の全てのハードウェアおよびソフトウェアコンポーネントを、従来のものとすることが可能である。
【００２４】
以下、自由入力アプリケーション45を実行するときの携帯電話30の操作を、図４および図５A乃至5Hを参照して説明する。
【００２５】
図４を参照する。アイドルモード60において操作が開始される。自由入力アプリケーション45を開くためのユーザー入力61の後に、ステップ62で自由入力アプリケーションが開かれる。ステップ62の後に、携帯電話30は、図５Aに示されるスクリーンショットを表示する。図５Aから、ディスプレイの上部に、"メッセージング"という単語が太字で、わずかに小さい文字の"自由入力"という単語とともに表示されていることが分かる。その直下は、空白のエントリ領域である。スクリーンショットの下部には、（図１では18で示される）右ソフトキーにはアプリケーションを閉じる機能があり、（図１では17で示される）左ソフトキーにはオプションのリストを提供する機能がある。
【００２６】
ステップ62の後に、ユーザーは、図形を入力することが可能である。これは、タッチスクリーン13に対するスタイラス19の使用、または、デジタルペン21の操作を伴う。いずれも、携帯電話30は、図形をディスプレイ37に表示するように構成される。ユーザーはまた、キーパッド14を使用するか、またはデジタルペン21の光学式文字認識（Optical Character Recognition: OCR）機能を使用して、文字を入力するオプションを有する。図５Bのスクリーンショットから分かるように、ユーザーは、文字を入力して、図形を入力し、次いで、その図形の下に更なる文字を入力している途中である。ステップ63でのテキストの入力は、オプションである。図形を入力した後に文字を入力する場合、デフォルトでは、入力された更なる図形はテキストの後に現れる。ステップ63で、左ソフトキー17は"オプション"と示され、右ソフトキー18は"挿入"機能を選択したときに示される。
【００２７】
本実施例では、ユーザーは、左ソフトキー17を操作することによって"オプション"を選択する。左ソフトキー17の押下後に、ディスプレイ37は、図５Cに示されるスクリーンショットを提供する。ここでは、動的メニューが既存のディスプレイ上にオーバーレイされる。メニューの上部にあり、デフォルトでハイライトされ、挿入 - 受信者の追加 - 送信のシーケンスで次のアクションに関連することから、このメニューは動的である。
【００２８】
オプションの"挿入"は、ディスプレイ37の右側に小さな矢印を含み、これは、このオプションに関連した更なるオプションがあることをユーザーに示すものである。図５Dは、利用可能なオプションを示す。図５Dのスクリーンショットは、図５Cのスクリーンショットから右矢印キーを押下した後の、ディスプレイ37の状態を示すものである。更なるサブメニューオーバーレイがあることが分かる。前記サブメニューのオーバーレイは、"写真"、"サウンド"、および"ファイル"オプションを含み、それぞれが、このオプションに関連した更なるオプションがあることを示す、右側の小さな矢印を含む。これらの更なるオプションは、図５Dのスクリーンショットの右側に示される。具体的には、"写真"オプションを選択したときには、ディスプレイ上にサブメニューがオーバーレイされ、デフォルトオプションとしての"新規"、および同じく利用可能なオプションとしての"ファイルから"を提供する。ユーザーが"新規"を選択した場合、カメラアプリケーション52が開かれ、ユーザーは写真を撮ることができる。ユーザーが"ファイルから"オプションを選択した場合、ギャラリーアプリケーション51が開かれ、ユーザーは、携帯電話30に先在する写真を閲覧して選択することができる。"サウンド"オプションがハイライトされているときに、ユーザーが第一のサブメニューで右方向キーを選択した場合、更なるサブメニューがオーバーレイされる。前記更なるサブメニューは、デフォルトオプションが"録音"であり、副オプションは"ファイルから"である。"録音"オプションが選択された場合、音声レコーダアプリケーション53が開かれ、ユーザーは音声を録音することができる。"ファイルから"オプションが選択され場合、ギャラリーアプリケーション51が開かれ、ユーザーは、ギャラリーから先在する音声ファイルを選択することができる。"ファイル"オプションがハイライトされているときに、ユーザーが右方向キーを押下した場合、更なるサブメニューがオーバーレイされる。前記サブメニューは、デフォルトオプションとしての"探索"、および副オプションとしての"検索"を提供する。ユーザーが"探索"オプションを選択した場合、ファイルマネージャアプリケーション54が開かれ、ユーザーは、先在するファイルを閲覧して添付することができる。代わりに"検索"オプションを選択した場合、検索ツールアプリケーション55が開かれ、ユーザーは、携帯電話30に格納された先在するファイルを検索することができる。
【００２９】
図５Eは、カメラアプリケーション52、またはギャラリーアプリケーション51を使用して、メッセージに画像を混在させた後のディスプレイ37のスクリーンショットを示す図である。更なるアイテムが挿入されているので、右ソフトキー18の機能が自由入力アプリケーション45によって変更され、ユーザーは、追加すべき受信者を指定することができる。なお、このステージでは、更なるメディアアイテムを添付することが可能である。更なるメディアアイテムを追加するには、ユーザーは単に左ソフトキー17を押すだけでよく、このキーによって、自由入力アプリケーション45は、ディスプレイ37上へのオーバーレイとして図５Cに示されるサブメニューを提供する。この場合、"受信者の追加"オプションは、右ソフトキー18を押すことによって図５Eのスクリーンショットから容易に選択することができるので、"挿入"オプションがデフォルトオプションとして動的に選択される。サブメニューがオーバーレイされると、図５Dを参照して上述した様態で、挿入のタイプおよび実際の挿入を選択することができる。
【００３０】
更なるメディアアイテムを追加することが可能であり、図５Fに示されるスクリーンショットでは、"Gimme Shelter.mp3"というタイトルの音声ファイル、および"Table.xls"というタイトルの表計算ファイルがメッセージに含まれている。左ソフトキー17は、ユーザーが更なるメディアアイテムを追加することができるトリガーとなる。メディアアイテムが追加された後に、左ソフトキー17を押すと、オプションのサブメニューがディスプレイ37上にオーバーレイされ、右ソフトキー18を押すと、受信者を追加または選択することができる。
【００３１】
メディアアイテムおよび/またはファイルの挿入を、オプションのステップとして、図４に64で示す。この場合、オプションの挿入ステップ64は、ディスプレイ37が図５Bに示される状態にあるときに、右ソフトキー18を押すことによって起動される。これを、図４に65で示す。
【００３２】
なお、このステップはオプションである。ユーザーが、図形の入力から受信者の追加を、単一のキー押下または他のユーザー入力で進行できるように自由入力アプリケーション45を構成することによって、これを全体的に省略することができる。例えば、自由入力アプリケーション45は、携帯電話30の方向キー15の中央部、または他のファンクションキー16の押下によって、挿入ステップ64が省略されるように構成することが可能である。当該の方向キー15の中央部または他のファンクションキー16の押下は、図４に67で示される、コンテンツの完全な入力を構成する。１つ以上のメディアアイテムがメッセージに含まれている場合、右ソフトキー18ハイライトされた"Recipient"の押下によって、完全な入力67を構成する。いかなる形態の完全な入力67であっても、ユーザーが、受信者のアドレスを入力するか、または電話帳56から、または最近および/または一般的に連絡した受信者リストから選択することができるように表示される。これは、図に示されていない。
【００３３】
代わりに、ユーザーが図５Fに示されるスクリーンショットから左ソフトキー17を押した場合、図５Gに示されるように、"オプション"サブメニューがディスプレイ37上にオーバーレイされる。ここでは、メニューがデフォルトオプションとして"受信者の追加"を含むように、動的に構成されている。これによって、ユーザーは、１つ以上の更なるメディアアイテムまたはファイルを挿入するか、または他の利用可能なオプションのうちの１つを選択することができる。
【００３４】
"受信者の追加"オプションはデフォルトオプションであるので、メニューの動的な適応によって、少ないユーザー入力で最も可能性の高いアクションを実行することができる。なお、左ソフトキー17を介したメニューへのアクセスには、完全な入力67と、受信者アドレスの入力、または電話帳56から、または最近および/または一般的に連絡した受信者リストからの選択との間に、２つのユーザー入力が必要である。自由入力アプリケーション45が、図１の携帯電話10の英数字キー14のうちの１つの押下によって、"受信者の追加"オプションを選択し、受信者アドレス（例、Eメールアドレスまたは電話番号）の最初の文字を入力するように、自由入力アプリケーション45を構成した場合、ユーザー入力の数を１つに減らすことができる。受信者アドレスのエントリまたは受信者の選択を、図４に69で示す。
【００３５】
選択前であるが、受信者アドレスがハイライトされるか、またはユーザーがアドレスの入力を始めると、自由入力アプリケーション45は、メッセージを担持するためのデフォルトオプションとして、メッセージングアプリケーションのうちの１つを選択することができる。
【００３６】
メッセージを担持するためのデフォルトオプションは、任意の好適な基準に基づいて決定することができる。
【００３７】
携帯電話30は、デフォルトオプションを決定するためのデフォルトのルールを備えることが可能である。これらのルールは、ユーザーのプレファレンスに基づいてユーザーが変更することが可能である。
【００３８】
ユーザーによって入力されるアドレスが電子メールアドレスである場合、Eメールアプリケーション47がメッセージを送信するためのデフォルトアプリケーションとなる。ユーザーが受信者を電話帳アプリケーション56から選択し、その受信者がユーザーに関連付けられたEメールアドレスしか持たない場合、Eメールアプリケーション47はメッセージのデフォルトのキャリアとなる。
【００３９】
自由入力アプリケーション45は、SMSによってメッセージを送信することが可能となるかどうかを決定するように構成される。例えば、任意のファイルまたはメディアアイテムがメッセージ内に含まれているか、または比較的少数の連結メッセージによって担持できないメッセージの長さである場合、これは不可能となる。自由入力アプリケーション45はまた、MMSによってメッセージを送信することができるかどうかを決定するように構成される。例えば、２つの異なる画像がメッセージ内に含まれている場合、MMS標準では、画像が単一のビデオメディアアイテムの一部でない限り、複数の画像を単一のメッセージ内に含めることができないので、これは不可能となりうる。現在利用不可能なメッセージングオプションは、自由入力アプリケーション45によってデフォルトオプションとして選択されない。
【００４０】
自由入力アプリケーション45は、種々の利用可能なメッセージングオプションを介してメッセージを送信するコストを考慮し、またデフォルトのメッセージングサービスが何であるかを決定するときのコストを考慮するように構成される。この決定は、利用可能な無線ネットワークを考慮することも可能である。例えば、GPRS（General Packet Radio Service: 汎用パケット無線システム）または3G（third Generation: 第三世代）ネットワークを介してEメールを送信することが可能であるが、GSMネットワークを介してEメールを送信することは通常不可能である。3GおよびGPRSネットワークが利用できない場合、自由入力アプリケーション45は、GSMネットワークを利用することができることから、通常、MMSアプリケーション50を選択する。
【００４１】
ユーザーは、電話帳56に格納された特定の受信者に特有のプレファレンスを入力することが可能である。例えば、ユーザーは、Eメールメッセージを好む特定の受信者を指定すること、およびMMSメッセージを好む他の受信者を指定することが可能である。
【００４２】
いかなる技術を使用しても、自由入力アプリケーション45によって選択されたデフォルトのメッセージングアプリケーションが、右ソフトキー18を介して、またはオーバーレイされた"オプション"サブメニュー内の"送信"オプションの選択を介して選択可能なものとしてユーザーに提供される。前者を図５Gのスクリーンショットによって示し、後者を図５Hのスクリーンショットによって示す。図５Hのスクリーンショットはまた、メッセージを、右方向キー15を押すことによって、デフォルトのメッセージングオプション以外を介して送信することが可能であり、これによって、自由入力アプリケーション45が、他のメッセージングオプションを示す更なるサブメニューをオーバーレイさせることを示す。図５Hに示される実施例では、メッセージが、SMSによって送信することができないメディアアイテムを含んでいるので、SMSオプションは、グレーで示されている。
【００４３】
図５Hはまた、更なる受信者を追加することができ、また更なるメディアアイテムおよびファイルをメッセージに挿入できることを示す。図５Hに示されるオーバーレイされたメニューはまた、"削除"および"ヘルプ"オプションを提供する。メッセージの送信は、選択される可能性の最も高いオプションであるので、自由入力アプリケーション45は、このオプションをデフォルトオプションとして示す。したがって、ユーザーは、デフォルトのメッセージングオプションによって送信すべきメッセージに対して、ユーザー入力を１つだけ行えばよい。携帯電話30は、ステップ70で、ユーザーが、デフォルトのメッセージング方法が要求されたことを示したかどうかを判断し、次いで、直接ステップ71に進んでデフォルトのメッセージングサービスによってメッセージを送信するか、または、ステップ72に進んで利用可能なメッセージングサービスを表示して、必要に応じて、選択入力73によってメッセージングサービスのうちの１つを選択した後に、ステップ71でメッセージを送信する。
【００４４】
ステップ71でのメッセージの送信は、Eメールアプリケーション47、インスタントメッセージングアプリケーション48、SMSアプリケーション49、およびMMSアプリケーション50のうちの適切な１つを使用して、メッセージコンテンツをメッセージに組み込み、またメッセージングアプリケーションがメッセージを送信するように制御する自由入力アプリケーション45を伴う。
【００４５】
メッセージが、SMSアプリケーション49を使用してSMSとして送信される場合、携帯電話30は、現在SMS標準によってサポートされているようなビットマップで表される図形を含むSMSを作成する。これは、アイコン、グラフィックス、およびアニメーションをSMSが可能な携帯電話に送信できるように元々デザインされたプロセスを使用することを伴う、比較的直接的な手順である。これは、SMS標準に適合するSMSメッセージを取り扱うように構成されたSMSアプリケーションを備えた、あらゆる受信側モバイル端末上に、図形を適切に再生することができるようにする。したがって、受信者は、ユーザーによって携帯電話30に入力された図形を表示するために、いかなる特別なハードウェアまたはソフトウェアも不要となる。
【００４６】
メッセージをEメールとして送信する場合、自由入力アプリケーション45およびEメールアプリケーション47は、そのメッセージがEメール標準に適合するものであるようにする。特に、図形を、組み込みまたは添付のビットマップファイル（*.bmp）として表すか、またはEメール標準によって送信されたメッセージを取り扱うように機能するEメールアプリケーションによって適切に表すことができる、あらゆる他の好適な形態で表すことが可能である。
【００４７】
同様に、メッセージをMMSとして送信する場合、自由入力アプリケーション45およびMMSアプリケーション50は、そのメッセージがMMS標準に適合するものであるようにする。
【００４８】
また、メッセージをインスタントメッセージとして送信する場合、自由入力アプリケーション45およびインスタントメッセージングアプリケーション48は、そのメッセージがインスタントメッセージング標準に適合するものであるようにする。この結果、いかなるメッセージングオプションを使用しても、受信者の端末には、関連する標準に基づいてメッセージを適切に取り扱うことができるメッセージングアプリケーション以外に、いかなる特別なソフトウェアまたはハードウェアを提供する必要が無い。
【００４９】
モバイルデバイスによる図形の送信を可能にすることに加えて、自由入力アプリケーション45によって、ローマ字の使用には不向きとなりうる単純なテキスト通信も可能となる。例えば、ユーザーにとって、中国語、タイ語、韓国語、モンゴル語などの文字を、フリーハンド入力ハードウェア42を使用して入力すること、およびこれらを画像として送信することが比較的容易な場合である。したがって、ローマ字以外で、複雑な文字変換を使用せずに、または受信デバイスにおいて特別なソフトウェアまたはハードウェアを使用せずに、モバイル端末間でのテキスト通信が可能となる。本発明の前には、モバイルデバイス間での非ローマ字テキストの送信は、比較的複雑なプロセスとなるか、または受信者のデバイスに特別なソフトウェアが必要であった。したがって、本発明は、SMSまたはMMSアプリケーションが、携帯電話において比較的よく見られるので、SMSまたはMMSがメッセージのキャリアである場合に特に好都合である。
【図面の簡単な説明】
【００５０】
【図１】本発明の特定の側面によって機能し、タッチスクリーンを含むモバイル端末の図である。
【図２】本発明の特定の側面によって機能するモバイル端末およびデジタルペンの図である。
【図３】図１および図２のモバイル端末のソフトウェアおよびハードウェアコンポーネントを示す概略図である。
【図４】本発明の複数の側面によって動作する自由入力アプリケーションの操作を示すフローチャートの図である。
【図５】図５Ａ〜図５Ｈは、図４のフローチャートの種々のステージにおける図１または図２のモバイル端末のスクリーンショットを示す図である。
【図１】
2008546069.tif 000003
【図２】
2008546069.tif 000004
【図３】
2008546069.tif 000005
【図４】
2008546069.tif 000006
【図５Ａ】
2008546069.tif 000007
【図５Ｂ】
2008546069.tif 000008
【図５Ｃ】
2008546069.tif 000009
【図５Ｄ】
2008546069.tif 000010
【図５Ｅ】
2008546069.tif 000011
【図５Ｆ】
2008546069.tif 000012
【図５Ｇ】
2008546069.tif 000013
【図５Ｈ】
2008546069.tif 000014
【国際調査報告】
2008546069.tif 000015
2008546069.tif 000016
2008546069.tif 000017